(57)【要約】【課題】  使用時の装着感や窮屈感がなく、また衣服の着用の邪魔にもならず、しかも腸の下垂を有効に抑えることができるようにする。【解決手段】  パンツのようにはくことができる外鼠径ヘルニア抑止用パンツ１であって、リング状のウエスト部２と、ウエスト部２の前側下縁から下方に伸びる前身頃３と、ウエスト部２の後側下縁から下方に伸び、その下端が前身頃３の下端と連なる後身頃４とを有しており、前身頃３はウエスト部２の前側における幅中央位置２ａから左右いずれか一方へ寄った位置に設けられ、前身頃３の裏面には上縁が開口したポケット部５が設けられ、ポケット部５内には円板状等とされた脱腸突起押圧部材６が収容されており、使用時においては、前身頃３よりも短く且つ狭い幅とした後身頃４の引張作用により前身頃３が引き上げられると共に脱腸突起押圧部材６が患部に押し上げるようになされている。【選択図】  図１
2008012082.tif 000002
【特許請求の範囲】
【請求項１】
略リング状のウエスト部と、ウエスト部の前側下縁における幅中央位置から左右いずれか一方へ寄った位置に設けられた前身頃と、ウエスト部の後側下縁における幅中央位置に設けられ、下端部が前身頃の下端部に連なる後身頃とを有し、後身頃は前身頃よりも伸縮性の高い生地で構成され、且つ前身頃よりも短い長さとなされており、前身頃の裏面にはポケット部が形成され、ポケット部内には脱腸突起押圧用部材が収容されている、外鼠径ヘルニア抑止用パンツ。
【請求項２】
略リング状のウエスト部と、ウエスト部の前側下縁に左右対称に設けられた一対の前身頃と、ウエスト部の後側下縁における幅中央位置に設けられ、下端部が両前身頃の下端部に連なる後身頃とを有し、後身頃は前身頃よりも伸縮性の高い生地で構成され、且つ前身頃よりも短い長さとなされており、前身頃の裏面にはポケット部が形成され、ポケット部には脱腸突起押圧用部材が収容されている、外鼠径ヘルニア抑止用パンツ。
【請求項３】
略リング状のウエスト部と、ウエスト部の前側下縁に左右対称に設けられた一対の前身頃と、ウエスト部の後側下縁に左右対称に設けられた一対の後身頃とを有し、左右の前身頃と左右の後身頃の対応する下端部同士が連なっており、後身頃は前身頃よりも伸縮性の高い生地で構成され、且つ前身頃よりも短い長さとなされており、前身頃の裏面にはポケット部が形成され、ポケット部内には脱腸突起押圧用部材が収容されている、外鼠径ヘルニア抑止用パンツ。
【請求項４】
脱腸突起押圧用部材は、コルク製の板状部材である請求項１〜請求項３のうちのいずれか一項記載の外鼠径ヘルニア抑止用パンツ。
【発明の詳細な説明】
【技術分野】
【０００１】
本発明は、外鼠径ヘルニアの症状を抑える外鼠径ヘルニア抑止用パンツに関する。
【背景技術】
【０００２】
外鼠径ヘルニアは先天的な要因で乳幼児に発症することが多いが、中年以降で発症する場合も増加している。これは足の付け根にある腹壁の筋膜が加齢とともに弱くなることが原因である。病院で外鼠径ヘルニアの治療や手術を受ける人は年間約２５万人であるが、これは腹部の痛み等の症状が出て日常生活に支障をきたした患者数であり、目だった症状が出ず、日常生活にさほど支障を伴わない程度の患者は恥ずかしがって病院に行かず、放置しているのが実情であり、そのため実際の潜在的な患者数はかなり多いと言われている。
【０００３】
病院で治療や手術を受けない患者が日常生活の中で外鼠径ヘルニアの軽減を図るために用いるものとして所謂「脱腸帯」と呼ばれる帯状のものが知られている。
【特許文献１】特開２００３−２６５５０９号公報
【発明の開示】
【発明が解決しようとする課題】
【０００４】
前述した脱腸帯は、基本的な構造として、腰に装着するための帯状体と、該帯状体の下縁から下方に形成された股帯と、股帯の内側に取り付けられるパッドを有するものであって、股帯におけるパッドを下腹部の患部に当てることで症状の抑止が図られていた。
【０００５】
しかしながら、従来の脱腸帯は、前述したように、帯状体を腰に装着した上、下腹部にも股帯を装着するという構造であるため、使用者が日常生活を行う上で常に器具の装着感を伴うと共に歩行等の日常の動きが制限されて窮屈を感ずると共に、スラックスやスカート等の衣服の着用にも支障をきたす上、腸の十分な下垂抑止効果を得がたいのが実情であった。
【０００６】
本発明の目的は、使用時の装着感や窮屈感がなく、また衣服の着用の邪魔にもならず、しかも腸の下垂を有効に抑えることができる外鼠径ヘルニア抑止用パンツを提供することにある。
【課題を解決するための手段】
【０００７】
請求項１記載の本発明は、略リング状のウエスト部と、ウエスト部の前側下縁における幅中央位置から左右いずれか一方へ寄った位置に設けられた前身頃と、ウエスト部の後側下縁における幅中央位置に設けられ、下端部が前身頃の下端部に連なる後身頃とを有し、後身頃は前身頃よりも伸縮性の高い生地で構成され、且つ前身頃よりも短い長さとなされており、前身頃の裏面にはポケット部が形成され、ポケット部内には脱腸突起押圧用部材が収容されている外鼠径ヘルニア抑止用パンツである。
【０００８】
伸縮性の高い生地および伸縮性の低い生地の種類は特に限定されず、市販されている種々のものを用いることができる。具体的には、ナイロン、ポリウレタン等の合成繊維や綿等の混紡による交編、交織並びに天然素材とポリウレタンによる交編、交織のもの等が挙げられる。また、前身頃や後身頃およびウエスト部についても、生地は一枚でなく、複層生地としても良い。これらの点は後述するパンツについても同様である。
【０００９】
脱腸突起押圧用部材は、患部の抑止効果を有する材質および形状のものであれば良く、後述するコルクのような天然素材のものが好ましいが、合成樹脂等の人工的な素材を用いても良く、また一種の素材だけでなく、複数の素材を組み合わせても良い。形状としては、板状であって、円形、楕円形およびハート形等が挙げられる。
【００１０】
請求項２記載の本発明は、略リング状のウエスト部と、ウエスト部の前側下縁に左右対称に設けられた一対の前身頃と、ウエスト部の後側下縁における幅中央位置に設けられ、下端部が両前身頃の下端部に連なる後身頃とを有し、後身頃は前身頃よりも伸縮性の高い生地で構成され、且つ前身頃よりも短い長さとなされており、前身頃の裏面にはポケット部が形成され、ポケット部には脱腸突起押圧用部材が収容されている外鼠径ヘルニア抑止用パンツである。
【００１１】
請求項３記載の本発明は、略リング状のウエスト部と、ウエスト部の前側下縁に左右対称に設けられた一対の前身頃と、ウエスト部の後側下縁に左右対称に設けられた一対の後身頃とを有し、左右の前身頃と左右の後身頃の対応する下端部同士が連なっており、後身頃は前身頃よりも伸縮性の高い生地で構成され、且つ前身頃よりも短い長さとなされており、前身頃の裏面にはポケット部が形成され、ポケット部内には脱腸突起押圧用部材が収容されている外鼠径ヘルニア抑止用パンツである。
【００１２】
請求項４記載の本発明は、前記請求項１〜請求項３のうちのいずれか一項記載の外鼠径ヘルニア抑止用パンツについて、脱腸突起押圧用部材は、コルク製の板状部材であることを特徴とするものである。
【発明の効果】
【００１３】
本発明に係るいずれの外鼠径ヘルニア抑止用パンツについても、通常の下着感覚で着用することができ、従来の脱腸帯のような器具を装着しているといった違和感がなく、日常生活において下半身の動きを制限することなく使用できる。
【００１４】
そして、本発明の外鼠径ヘルニア抑止用パンツは、後身頃の長さ（丈）が前身頃の長さ（丈）よりも短くなっているため、使用者の臀部の引っ張り効果によって後身頃から前身頃にかけて股下が持ち上げられると共に、前身頃のポケット部に収容された脱腸突起押圧用部材が使用者の患部に押し当てられることから、使用者は股下の持ち上げ効果と患部への脱腸突起押圧用部材の当接による複合的なヘルニア抑止効果を得ることができる。また、この場合、後身頃が高い伸縮性生地で構成されているため、使用者が股ずれを起こすことも少ない。
【００１５】
また、脱腸突起押圧用部材として、コルク製板状部材を用いた場合、使用者の患部に対して適度の硬さでの押圧がなされ、且つ患部の形状に対応して湾曲し得る。
【発明を実施するための最良の形態】
【００１６】
次に、本発明の実施形態を図面にしたがって説明するが、本発明はかかる実施形態に限定されるものではなく、その要旨の範囲内で種々の変形実施が可能である。
【００１７】
（実施形態１）
【００１８】
図１〜図３に示すように、外鼠径ヘルニア抑止用パンツ１は、男女兼用であって、略リング状のウエスト部２と、ウエスト部２の前側下縁から下方に伸びる前身頃３と、ウエスト部２の後側下縁から下方に伸び、その下端が前身頃３の下端に連なる後身頃４とを有しており、前身頃３はウエスト部２の前側における幅中央位置２ａから、患部に対応して左右いずれか一方へ寄った位置に設けられるものであって、本実施形態では左側へ寄った位置に設けられており、より詳細にはウエスト２の幅Ｗを三分割した場合に、その左側約三分の一の幅位置Ｗ１に形成されている。後身頃４はウエスト部２の後側中央位置に形成されている。
なお、図中(3c)は前身頃３の幅中央部を示す。
【００１９】
本実施形態では、ウエスト部２における前半部２ｂ、前身頃３の全体および後身頃４下端の前側寄り部分がそれぞれ高伸縮性生地（表側）と低伸縮性生地（裏側）の二重構造となされ、更に図２〜図４に示すように、前身頃３の低伸縮性生地（裏側）面には高伸縮性生地からなる上縁が開口したポケット部５が設けられ、ポケット部５内にはハート形のコルク製脱腸突起押圧部材６が収容されている。そして、本実施形態では前身頃３におけるポケット部５が形成されている長さ中央部分の両側部３ａ・３ｂが凸弧状となされている。
【００２０】
ウエスト部２の後半部２ｃ並びに後身頃４の前側寄り部分を除く全体は高伸縮性生地で構成されており、そして、後身頃４は前身頃３に比べて長さが短いＴバック形となされている。
【００２１】
なお、図中７は、当該パンツ１全体について縁取り状に縫着された帯紐ゴムである。また、本実施形態のパンツ１を女性用として使用する場合には、前身頃３裏面と後身頃４裏面における股下が当たる部分を柔軟な肌触りとするために、綿生地を縫着する場合もある。
【００２２】
本実施形態の外鼠径ヘルニア抑止用パンツ１は、通常の下着パンツの代わりに使用しても良いし、通常の下着パンツの上から着用しても良い。この点は、後述する実施形態においても同様である。いずれにしても本実施形態の外鼠径ヘルニア抑止用パンツ１を着用した場合、使用者は通常の下着をつけたのと同様に、違和感や窮屈感を感ずることなく、後述するヘルニア抑止作用が得られる。
【００２３】
すなわち、使用者が本実施形態の外鼠径ヘルニア抑止用パンツ１をはく前に、前身頃３のポケット部５内にコルク製脱腸突起押圧部材６を入れ、該部材６の位置を使用者の患部に対応してポケット５内で若干移動調整するだけで当該パンツ１の着用が行える。そして、このパンツ１の着用後においては、後身頃４は前身頃３よりも長さが短く、且つ高伸縮性生地で構成されていることから、該後身頃４が、使用者の臀部の割れ目に食い込んで臀部により引き上げられる結果、使用者の股下部分が後身頃４および前身頃３によって持ち上げられると共に、前身頃３のポケット５内のコルク製脱腸突起押圧部材６が患部に押し当てられることとなる。
【００２４】
（実施形態２）
【００２５】
図５〜図７に示すように、本実施形態の外鼠径ヘルニア抑止用パンツ２１は、左右外鼠径ヘルニア用で、主に男性用であって、略リング状のウエスト部２２と、ウエスト部２２の前側下縁から下方に伸びる左右対称な一対の前身頃２３Ａ・２３Ｂと、ウエスト部２２の後側中央下縁から下方に伸び、その下端が両前身頃２３Ａ・２３Ｂの下端に連なる後身頃２４とを有している。
【００２６】
本実施形態では、ウエスト部２２は平ゴムからなり、前身頃２３Ａ・２３Ｂは高伸縮性生地（表側）と低伸縮性生地（裏側）の二重構造となされ、低伸縮性生地（裏側）の表面には高伸縮性生地からなる上縁が開口したポケット部２５Ａ・２５Ｂが設けられ、ポケット部２５Ａ・２５Ｂには円形のコルク製脱腸突起押圧部材２６が収容されている。
【００２７】
また、図５に示すように、前身頃２３Ａ・２３Ｂは、その上部から下部に向かって幅が狭くなり、且つ内縁部２３ａがほぼ直線状であるのに対し、外縁部２３ｂが略凸弧状となされている。
【００２８】
後身頃２４は、前記実施形態１と同様、高伸縮性生地により構成され、前身頃２３Ａ・２３Ｂよりも短い長さのＴバック形とされている。また、本実施形態の外鼠径ヘルニア抑止用パンツ２１は、前身頃２３Ａ・２３Ｂおよび後身頃２４の両側部において、縁取り状に帯紐ゴム２７が縫着されている。
【００２９】
本実施形態の外鼠径ヘルニア抑止用パンツ２１の着用にあたっては、左側の前身頃２３Ａと後身頃２４の間(S1)に左足をいれ、右側の前身頃２３Ｂと後身頃２４の間(S2)に右足を入れれば良い。そして、本実施形態のパンツ２１においても、後身頃２４によって、前記実施形態１における後身頃４と同様の作用効果が得られ、そして、本実施形態では、左右対称な一対の前身頃２３Ａ・２３Ｂにおける左右のポケット２５Ａ・２５Ｂに、使用者の患部に対応してコルク製脱腸突起押圧部材２６を入れ、その位置を適宜調整すれば良い。
【００３０】
（実施形態３）
【００３１】
図８および図９に示すように、本実施形態の外鼠径ヘルニア抑止用パンツ３１は、左右外鼠径ヘルニア用で、主に女性用であって、ウエスト部３２と、ウエスト部３２の前側下縁から下方に伸びる左右対称な一対の前身頃３３Ａ・３３Ｂと、ウエスト部３２の後側下縁から下方に伸びる左右対称な一対の後身頃３４Ａ・３４Ｂとを有しており、左側の前身頃３３Ａと同側の後身頃３４Ａの下端部同士が連なり、右側の前身頃３３Ｂと同側の後身頃３４Ｂの下端部同士が連なっている。
【００３２】
本実施形態では、ウエスト部３２は平ゴムからなり、前身頃３３Ａ・３３Ｂは高伸縮性生地（表側）と低伸縮性生地（裏側）の二重構造となされ、低伸縮性生地（裏側）の表面には高伸縮性生地からなる上縁が開口したポケット部（図示せず）が設けられ、ポケット部には前記実施形態２と同様のコルク製脱腸突起押圧部材が収容される。
【００３３】
後身頃３４Ａ・３４Ｂは高伸縮性生地により構成されており、前身頃３３Ａ・３３Ｂよりも短い長さとされている。
【００３４】
前身頃３３Ａ・３３Ｂおよび後身頃３４Ａ・３４Ｂは、いずれも上部から下部に向かって幅が狭い形状となされ、また、前身頃３３Ａ・３３Ｂおよび後身頃３４Ａ・３４Ｂの両側部には、縁取り状に帯紐ゴム３７が縫着されている。
【００３５】
本実施形態の外鼠径ヘルニア抑止用パンツ３１の着用にあたっては、左側の前身頃３３Ａと後身頃３４Ａ間(S1)に左足を入れ、右側の前身頃３３Ｂと後身頃３４Ｂ間(S2)に右足を入れれば良い。そして、左右の前身頃３３Ａ・３３Ｂにおけるポケット部に、使用者の患部に対応してコルク製脱腸突起押圧部材を入れ、その位置を適宜調整すれば良い。
【００３６】
本実施形態の外鼠径ヘルニア抑止用パンツ３１においても、前記実施形態と同様の作用効果が得られる。
【００３７】
前述した各実施形態における前身頃３・２３Ａ・２３Ｂ・３３Ａ・３３Ｂはいずれも伸縮性の高い生地の裏側に伸縮性の低い生地を重ね合わせることにより、複層生地として伸縮性の低いものとなっている。
【産業上の利用可能性】
【００３８】
本発明に係る外鼠径ヘルニア抑止用パンツは、通常の下着感覚で使用することができるため、幼児から老人まで性別を問わず、幅広く利用され得る。
【図面の簡単な説明】
【００３９】
【図１】実施形態１に係るパンツの斜視図である。
【図２】同実施形態のパンツ内部の前側を図示した正面図である。
【図３】同実施形態のパンツ前側におけるポケット縫着部分の断面図である。
【図４】脱腸突起押圧部材の斜視図である。
【図５】実施形態２に係るパンツを前側から見た斜視図である。
【図６】同実施形態に係るパンツを後側から見た斜視図である。
【図７】同実施形態のパンツ内部の前側を図示した一部切欠正面図である。
【図８】実施形態３に係るパンツを前側から見た斜視図である。
【図９】同実施形態に係るパンツを後側から見た斜視図である。
【符号の説明】
【００４０】
１  外鼠径ヘルニア抑止用パンツ
２  ウエスト部
３  前身頃
４  後身頃
５  ポケット部
６  コルク製脱腸突起押圧部材
【図１】
2008012082.tif 000003
【図２】
2008012082.tif 000004
【図３】
2008012082.tif 000005
【図４】
2008012082.tif 000006
【図５】
2008012082.tif 000007
【図６】
2008012082.tif 000008
【図７】
2008012082.tif 000009
【図８】
2008012082.tif 000010
【図９】
2008012082.tif 000011